(57)【要約】【課題】操作性に優れたマイクロメータを提供する。【解決手段】本発明の一形態に係るマイクロメータ１は、一端にアンビル３を保持し、他端にアンビル３に対して進退するスピンドル４を保持したフレーム２を備えるマイクロメータである。フレーム２は、防熱カバー８によって覆われている。そして、防熱カバー８は、第１の滑り止め部１５を備えている。ここで、第１の滑り止め部１５は、複数の凸部１５ａを備えていることが好ましい。【選択図】図１
2015052455.tif 000002
【特許請求の範囲】
【請求項１】
一端にアンビルを保持し、他端に前記アンビルに対して進退するスピンドルを保持したフレームを備えるマイクロメータであって、
前記フレームは、防熱カバーによって覆われており、
前記防熱カバーは、第１の滑り止め部を備えているマイクロメータ。
【請求項２】
前記第１の滑り止め部は、複数の凸部を備えている請求項１に記載のマイクロメータ。
【請求項３】
前記凸部はドット状に形成されており、複数の前記凸部が規則的又は非規則的に配置されている請求項２に記載のマイクロメータ。
【請求項４】
前記凸部は所定の方向に延在し、複数の前記凸部が略平行に配置されている請求項２に記載のマイクロメータ。
【請求項５】
前記第１の滑り止め部は、マイクロメータにおける前記スピンドルの進退方向の位置が特定できるように、前記防熱カバーに配置されている請求項１乃至４のいずれか１項に記載のマイクロメータ。
【請求項６】
前記フレームを覆い、且つ前記アンビルに対する前記スピンドルの変位量を表示する表示パネルを備え、
前記表示パネルは、第２の滑り止め部を備えている請求項１乃至４のいずれか１項に記載のマイクロメータ。
【請求項７】
前記第２の滑り止め部は、複数の凸部を備えている請求項６に記載のマイクロメータ。
【請求項８】
前記凸部はドット状に形成されており、複数の前記凸部が規則的又は非規則的に配置されている請求項７に記載のマイクロメータ。
【請求項９】
前記凸部は所定の方向に延在し、複数の前記凸部が略平行に配置されている請求項７に記載のマイクロメータ。
【発明の詳細な説明】
【技術分野】
【０００１】
本発明は、マイクロメータに関し、例えば一端にアンビルを保持し、他端にアンビルに対して進退するスピンドルを保持したフレームを備えるマイクロメータに関する。
【背景技術】
【０００２】
マイクロメータは、一端にアンビルを保持し、他端にスピンドルを保持したフレームを備えており、使用者がフレームを保持した状態でスピンドルに連結されたシンブルを回転させることで、アンビルに対してスピンドルを進退させる構成とされている。
【０００３】
このようなマイクロメータにおいては、使用者がフレームを保持した際に手の熱によるフレームの熱膨張の影響を抑制する必要があり、例えば特許文献１のマイクロメータは、フレームを防熱カバーで覆っている。
【先行技術文献】
【特許文献】
【０００４】
【特許文献１】特開２０１１−８０９７７号公報
【発明の概要】
【発明が解決しようとする課題】
【０００５】
マイクロメータの使用環境は、使用者が油等の潤滑剤が着いた指で被測定物の寸法を測定する場合等が想定される。
【０００６】
しかし、特許文献１のマイクロメータの防熱カバーは、表面処理が施されておらず、使用者が防熱カバーを摘んだ際に滑り易い。つまり、特許文献１のマイクロメータは、操作性に改善の余地が残されている。
【０００７】
本発明は、このような問題点を解決するためになされたものであり、操作性に優れたマイクロメータを提供することを目的とする。
【課題を解決するための手段】
【０００８】
本発明の一形態に係るマイクロメータは、一端にアンビルを保持し、他端に前記アンビルに対して進退するスピンドルを保持したフレームを備えるマイクロメータであって、前記フレームは、防熱カバーによって覆われており、前記防熱カバーは、第１の滑り止め部を備えている。
【０００９】
上述のマイクロメータにおいて、前記第１の滑り止め部は、複数の凸部を備えていることが好ましい。
【００１０】
上述のマイクロメータにおいて、前記凸部はドット状に形成されており、複数の前記凸部が規則的又は非規則的に配置されていることが好ましい。
【００１１】
上述のマイクロメータにおいて、前記凸部は所定の方向に延在し、複数の前記凸部が略平行に配置されていることが好ましい。
【００１２】
上述のマイクロメータにおいて、前記第１の滑り止め部は、マイクロメータにおける前記スピンドルの進退方向の位置が特定できるように、前記防熱カバーに配置されていることが好ましい。
【００１３】
上述のマイクロメータにおいて、前記フレームを覆い、且つ前記アンビルに対する前記スピンドルの変位量を表示する表示パネルを備え、前記表示パネルは、第２の滑り止め部を備えていることが好ましい。
【００１４】
上述のマイクロメータにおいて、前記第２の滑り止め部は、複数の凸部を備えていることが好ましい。
【００１５】
上述のマイクロメータにおいて、前記凸部はドット状に形成されており、複数の前記凸部が規則的又は非規則的に配置されていることが好ましい。
【００１６】
上述のマイクロメータにおいて、前記凸部は所定の方向に延在し、複数の前記凸部が略平行に配置されていることが好ましい。
【発明の効果】
【００１７】
本発明によれば、操作性に優れたマイクロメータを提供することができる。
【図面の簡単な説明】
【００１８】
【図１】実施の形態１のマイクロメータを示す正面図である。
【図２】実施の形態１のマイクロメータを示す背面図である。
【図３】実施の形態１のマイクロメータを示す左側面図である。
【図４】実施の形態１のマイクロメータを示す右側面図である。
【図５】実施の形態１のマイクロメータを示す平面図である。
【図６】実施の形態１のマイクロメータを示す底面図である。
【図７】実施の形態１のマイクロメータを示す斜視図である。
【図８】実施の形態１のマイクロメータにおける、防熱カバーの取り付け形態を示す斜視図である。
【図９】実施の形態１のマイクロメータにおける、防熱カバーの取り付け形態を示す異なる斜視図である。
【図１０】防熱カバーに形成される凸部の形状を示す正面図である。
【図１１】防熱カバーに形成される凸部の形状を示す断面図である。
【図１２】他の実施の形態のマイクロメータにおける、防熱カバーの取り付け形態を示す斜視図である。
【図１３】他の実施の形態のマイクロメータにおける、防熱カバーの取り付け形態を示す異なる斜視図である。
【図１４】防熱カバー又は表示パネルに形成される凸部の異なる形状を示す正面図である。
【図１５】防熱カバー又は表示パネルに形成される凸部の異なる形状を示す断面図である。
【図１６】防熱カバー又は表示パネルに形成される凸部の異なる形状を示す正面図である。
【図１７】防熱カバー又は表示パネルに形成される凸部の異なる形状を示す断面図である。
【図１８】防熱カバーに形成される凸部の異なる形状を示す正面図である。
【発明を実施するための形態】
【００１９】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００２０】
＜実施の形態１＞
本実施の形態のマイクロメータを説明する。先ず、本実施の形態のマイクロメータの基本構成を説明する。ここで、図１は、本実施の形態のマイクロメータ１を示す正面図である。図２は、本実施の形態のマイクロメータ１を示す背面図である。図３は、本実施の形態のマイクロメータ１を示す左側面図である。図４は、本実施の形態のマイクロメータ１を示す右側面図である。図５は、本実施の形態のマイクロメータ１を示す平面図である。図６は、本実施の形態のマイクロメータ１を示す底面図である。図７は、本実施の形態のマイクロメータ１を示す斜視図である。但し、図示するマイクロメータ１の方向は、一使用形態に係るものであり、適宜、使用形態によって変更される。また、図１〜図７では、防熱カバー部分を明確にするために、他の部分を破線で示している。
【００２１】
マイクロメータ１は、フレーム２と、アンビル３と、スピンドル４と、スリーブ５と、シンブル６と、ラチェット機構７と、防熱カバー８と、表示カバー９と、を備えている。
【００２２】
フレーム２は、略Ｕ字形状に形成されており、例えば金属製である。アンビル３は、フレーム２の上方左端に設けられている。スピンドル４は、円柱形状を基本形態とし、アンビル３と同軸上で対向配置されている。そして、スピンドル４は、フレーム２の上方右端にスリーブ５を介して保持されており、左端がフレーム２の上方右端から突出している。このスピンドル４は、アンビル３に対して進退する。
【００２３】
スリーブ５は、円筒形状を基本形態とするインナースリーブ１０の左端がフレーム２の上方右端に固定されている。そして、インナースリーブ１０の内部にスピンドル４が通されており、スピンドル４の外周部に形成されたネジ部が、インナースリーブ１０の内周部に形成されたネジ部に噛み合わされている。このインナースリーブ１０の外周部には、当該インナースリーブ１０を覆うようにアウタースリーブ１１が固定されている。
【００２４】
アウタースリーブ１１は、円筒形状を基本形態とし、図示を省略した目盛がスピンドル４の進退方向、即ち左右方向に沿って形成されている。
【００２５】
シンブル６は、円筒形状を基本形態とし、アウタースリーブ１１の外周部を覆うように、アウタースリーブ１１に回転可能に嵌合されている。シンブル６には、図示を省略した目盛が周方向に形成されている。このシンブル６には、スピンドル４の右端が連結されており、シンブル６を回転させることによって、スピンドル４がアンビル３に対して進退する。その際、シンブル６の目盛とアウタースリーブ１１の目盛とでアンビル３に対するスピンドル４の変位量を示す。
【００２６】
ラチェット機構７は、スピンドル４の右端に設けられており、スピンドル４に一定以上の負荷がかかるときに空転する。
【００２７】
防熱カバー８は、フレーム２における少なくとも使用者が摘む部分を覆う。なお、防熱カバー８の詳細な説明は後述する。表示カバー９は、操作ボタン９ａの操作に基づいて、アンビル３に対するスピンドル４の変位量を表示部９ｂに表示する。この表示カバー９は、フレーム２の上方右端近傍に固定されている。
【００２８】
次に、防熱カバー８の具体的な構成を説明する。ここで、図８は、本実施の形態のマイクロメータ１における、防熱カバー８の取り付け形態を示す斜視図である。図９は、本実施の形態のマイクロメータ１における、防熱カバー８の取り付け形態を示す異なる斜視図である。図１０及び図１１は、防熱カバー８に形成される凸部の形状を示す図である。
【００２９】
防熱カバー８は、第１のカバー部材１２と、第２のカバー部材１３と、を備えている。第１のカバー部材１２及び第２のカバー部材１３は、熱伝導性が低い材料で形成されていることが好ましく、例えば樹脂製である。
【００３０】
第１のカバー部材１２は、第２のカバー部材１３とで略Ｕ字形状のフレーム２の下部を覆う。そのため、第１のカバー部材１２は、略Ｕ字形状のフレーム２の下部において対向する面の一方の面２ａを覆う部分１２ａと、フレーム２の下部における上面２ｂの略半分を覆う部分１２ｂと、フレーム２の下部における下面２ｃの略半分を覆う部分１２ｃと、を備えている。
【００３１】
この第１のカバー部材１２におけるフレーム２の面２ａを覆う部分１２ａの裏面１２ａ１には、リブ１２ｄが設けられている。これにより、第１のカバー部材１２をフレーム２に取り付けた際に、第１のカバー部材１２におけるフレーム２の面２ａを覆う部分１２ａの裏面１２ａ１とフレーム２の面２ａとの間に空気層を形成することができ、第１のカバー部材１２からフレーム２への熱伝達を抑制することができる。
【００３２】
第２のカバー部材１３は、略Ｕ字形状のフレーム２の下部において対向する面の他方の面２ｄを覆う部分１３ａと、フレーム２の下部における上面２ｂの残りの略半分を覆う部分１３ｂと、フレーム２の下部における下面２ｃの残りの略半分を覆う部分１３ｃと、を備えている。
【００３３】
この第２のカバー部材１３におけるフレーム２の面２ｄを覆う部分１３ａの裏面１３ａ１にも、リブ１３ｄが設けられている。これにより、第２のカバー部材１３をフレーム２に取り付ける際に、第２のカバー部材１３におけるフレーム２の面２ｄを覆う部分１３ａの裏面１３ａ１とフレーム２の面２ｄとの間に空気層を形成することができ、第２のカバー部材１３からフレーム２への熱伝達を抑制することができる。
【００３４】
これらの第１のカバー部材１２と第２のカバー部材１３とは、略Ｕ字形状のフレーム２の下部を挟むように配置され、一方のカバー部材に形成された貫通孔及びフレーム２に形成された貫通孔２ｅにボルト１４（但し、第１のカバー部材１２と第２のカバー部材１３とを固定できれば例えば嵌合構造などでもよい。）を通し、当該ボルト１４を他方のカバー部材に形成したボルト穴に捩じ込むことで、フレーム２の下部に取り付けられている。
【００３５】
これにより、使用者は被測定物の寸法を測定する際に防熱カバー８を摘んで、被測定物の寸法を測定することができ、即ち、使用者は被測定物の寸法を測定する際にフレーム２を直接に触れることがないので、フレーム２の熱膨張の影響を抑制することができる。
【００３６】
ここで、第１のカバー部材１２又は第２のカバー部材１３は、滑り止め部１５を備えている。本実施の形態の凸部１５ａは、逆椀形状に形成されている。凸部１５ａの高さ及び大きさ等は、良好に滑り止め機能を発揮できるように設定すればよい。
【００３７】
このような凸部１５ａは、第１のカバー部材１２におけるフレーム２の面２ａを覆う部分１２ａの表面１２ａ２又は第２のカバー部材１３におけるフレーム２の面２ｄを覆う部分１３ａの表面１３ａ２の略全面又は局所的に複数個、規則的又は非規則的に配置されている。
【００３８】
本実施の形態の複数の凸部１５ａは、第１のカバー部材１２におけるフレーム２の面２ａを覆う部分１２ａの表面１２ａ２及び第２のカバー部材１３におけるフレーム２の面２ｄを覆う部分１３ａの表面１３ａ２において、左右方向に間隔を開けた２つの領域に、マトリックス状に配置されている。つまり、複数の凸部１５ａは、仮想格子の交点部分に配置されている。
【００３９】
このように防熱カバー８に滑り止め部１５を形成することで、使用者が油等の潤滑剤が着いた手で防熱カバー８を摘んでも、滑ることを抑制することができ、マイクロメータ１の操作性を向上させることができる。
【００４０】
ここで、上述のように複数の凸部１５ａを局所的に配置する場合、配置パターンや配置領域等によってマイクロメータ１の方向や測定位置を使用者に把握させることができる。例えば、本実施の形態では、滑り止め部１５が左右方向に間隔を開けて配置されているが、当該間隔部分を被測定物の測定位置と対応させることで、被測定物の測定位置を把握させることができる。
【００４１】
ちなみに、表示カバー９も、滑り止め部１６、１７を備えていることが好ましい。滑り止め部１６は、滑り止め部１５と同様に複数のドット状の凸部１６ａを備えており、表示カバー９の表示部９ｂの下方領域に配置されている。また、滑り止め部１７は、左右方向に延在する略トンネル形状に形成された凸部１７ａを備えており、当該凸部１７ａが表示カバー９の表示部９ｂの上方領域において上下方向に間隔を開けて略並列に配置されている。これにより、使用者が油等の潤滑剤が着いた手で表示カバー９を摘んでも、滑ることを抑制することができ、マイクロメータ１の操作性を向上させることができる。
【００４２】
＜他の実施の形態＞
図１２及び図１３は、防熱カバー８の異なる形態を示しており、図１２及び図１３に示すように、複数のドット状の凸部１５ａを千鳥状に配置してもよく、実施の形態１の表示カバー９と組み合わせてマイクロメータを構成してもよい。また、表示カバー９の表面に形成される複数のドット状の凸部１６ａも千鳥状に配置してもよく、実施の形態１の防熱カバー８と組み合わせてマイクロメータを構成してもよい。
【００４３】
また、図１４及び図１５は、凸部１５ａ（１６ａ）の異なる形状を示しており、図１４及び図１５に示すように、凸部１５ａ（１６ａ）は頂部に水平面を有する略円錐形状に形成されていてもよい。
【００４４】
また、図１６及び図１７は、凸部１５ａ（１６ａ）の異なる形状を示しており、図１６及び図１７に示すように、凸部１５ａ（１６ａ）は頂部に水平面を有する略四角錘状に形成されていてもよい。
【００４５】
また、図１８も、凸部１５ａの異なる形状を示しており、図１８に示すように、凸部１５ａを上下方向（但し、左右方向や斜め方向でもよい。）に延在する略トンネル形状に形成し、複数の凸部１５ａを略平行に配置してもよい。
【００４６】
要するに、凸部１５ａ（１６ａ）は、良好に滑り止め機能を発揮する形状であればよく、例えば略多角錘状、略円柱形状、略多角柱形状でもよく、凸部１５ａ（１６ａ）の突出方向から見て連続する湾曲形状（例えば、波形状）でもよい。また、所定の方向に延在する凸部１５ａ（１６ａ）の断面形状は、略トンネル形状に限らず、多角形状でもよい。また、異なる形状の凸部１５ａ（１６ａ）を組み合わせてもよい。また、凸部ではなく、凹部でもよい。
【００４７】
本発明は上記実施の形態に限られたものではなく、趣旨を逸脱しない範囲で適宜変更することが可能である。
【符号の説明】
【００４８】
１  マイクロメータ
２  フレーム
２ａ  フレームの下部において対向する面の一方の面
２ｂ  内周面
２ｃ  外周面
２ｄ  フレームの下部において対向する面の他方の面
２ｅ  貫通孔
３  アンビル
４  スピンドル
５  スリーブ
６  シンブル
７  ラチェット機構
８  防熱カバー
９  表示カバー、９ａ  操作ボタン、９ｂ  表示部
１０  インナースリーブ
１１  アウタースリーブ
１２  第１のカバー部材
１２ａ  フレームの下部において対向する面の一方の面を覆う部分、１２ａ１  裏面、１２ａ２  表面
１２ｂ  フレームの下部における内周面の略半分を覆う部分
１２ｃ  フレームの下部における外周面の略半分を覆う部分
１２ｄ  リブ
１３  第２のカバー部材
１３ａ  フレームの下部において対向する面の他方の面を覆う部分、１３ａ１  裏面、１３ａ２  表面
１３ｂ  フレームの下部における内周面の残りの略半分を覆う部分
１３ｃ  フレームの下部における外周面の残りの略半分を覆う部分
１３ｄ  リブ
１４  ボルト
１５  滑り止め部、１５ａ  凸部
１６  滑り止め部、１６ａ  凸部
１７  滑り止め部、１７ａ  凸部
【図１】
2015052455.tif 000003
【図２】
2015052455.tif 000004
【図３】
2015052455.tif 000005
【図４】
2015052455.tif 000006
【図５】
2015052455.tif 000007
【図６】
2015052455.tif 000008
【図７】
2015052455.tif 000009
【図８】
2015052455.tif 000010
【図９】
2015052455.tif 000011
【図１０】
2015052455.tif 000012
【図１１】
2015052455.tif 000013
【図１２】
2015052455.tif 000014
【図１３】
2015052455.tif 000015
【図１４】
2015052455.tif 000016
【図１５】
2015052455.tif 000017
【図１６】
2015052455.tif 000018
【図１７】
2015052455.tif 000019
【図１８】
2015052455.tif 000020